(57)【特許請求の範囲】
【請求項１】
通信システムで基準信号（ｒｅｆｅｒｅｎｃｅ ｓｉｇｎａｌ，ＲＳ）を生成する基地局装置において、
ユーザ装置（ｕｓｅｒ ｅｑｕｉｐｍｅｎｔ，ＵＥ）に対して少なくとも１つの物理資源ブロック（ｐｈｙｓｉｃａｌ ｒｅｓｏｕｒｃｅ ｂｌｏｃｋ，ＰＲＢ）を割り当てるプロセッサと、
前記ＵＥに対するアンテナポートに相応するＲＳシーケンスを前記ＵＥに対する少なくとも１つのＰＲＢにマッピングするマッパーとを含み、
前記ＵＥに対するＲＳシーケンスは、セル識別子（ｃｅｌｌ ｉｄｅｎｔｉｆｉｅｒ，ｃｅｌｌ ＩＤ）に基づく初期値から導き出された、初期シーケンス及び前記ＵＥに対する少なくとも１つのＰＲＢインデックスに基づき、獲得され、
前記アンテナポートは、１つのＰＲＢ対で、３つの資源要素（ｒｅｓｏｕｒｃｅ ｅｌｅｍｅｎｔ，ＲＥ）グループを含み、
１つのＲＥグループは２つのＲＥ対を含み、
１つのＲＥ対は、時間軸で２つの連続する直交周波数分割マルチプレクシング（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボルと、周波数軸で１つのサブキャリアを含む
ことを特徴とする基地局装置。
【請求項２】
前記初期シーケンスは、
ＵＥ ＩＤを排除した、セル識別子に基づく初期値から導き出される
ことを特徴とする請求項１に記載の基地局装置。
【請求項３】
前記ＵＥに対するアンテナポートに相応する前記ＲＳシーケンスは、
前記ＵＥに対する少なくとも１つのＰＲＢのインデックスによって、初期シーケンスの一部分をインターセプトし、前記アンテナポートによるコードを前記初期シーケンスの一部分に適用して、獲得される
ことを特徴とする請求項１に記載の基地局装置。
【請求項４】
前記１つのＲＥグループに適合する少なくとも２つのアンテナポートは、
１つのＲＥグループでマッピングされた前記少なくとも２つのアンテナポートに相応する少なくとも２つのＲＳシーケンスの少なくとも１つのコードにより、コード分割多重化される
ことを特徴とする請求項１に記載の基地局装置。
【請求項５】
前記ＰＲＢ対は、
サブフレームで同一のＰＲＢインデックスを有する２つのＰＲＢを含む
ことを特徴とする請求項１に記載の基地局装置。
【請求項６】
通信システムで基地局の基準信号（ｒｅｆｅｒｅｎｃｅ ｓｉｇｎａｌ，ＲＳ）生成方法において、
ユーザ装置（ｕｓｅｒ ｅｑｕｉｐｍｅｎｔ，ＵＥ）に対して少なくとも１つの物理資源ブロック（ｐｈｙｓｉｃａｌ ｒｅｓｏｕｒｃｅ ｂｌｏｃｋ，ＰＲＢ）を割り当てる段階と、
前記ＵＥに対するアンテナポートに相応するＲＳシーケンスを前記ＵＥに対する少なくとも１つのＰＲＢにマッピングする段階とを含み、
前記ＵＥに対するＲＳシーケンスは、セル識別子（ｃｅｌｌ ｉｄｅｎｔｉｆｉｅｒ，ｃｅｌｌ ＩＤ）に基づく初期値から導き出された、初期シーケンス及び前記ＵＥに対する少なくとも１つのＰＲＢインデックスに基づき、獲得され、
前記アンテナポートは、１つのＰＲＢ対で、３つの資源要素（ｒｅｓｏｕｒｃｅ ｅｌｅｍｅｎｔ，ＲＥ）グループを含み、
１つのＲＥグループは２つのＲＥ対を含み、１つのＲＥ対は、時間軸で２つの連続する直交周波数分割マルチプレクシング（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボルと、周波数軸で１つのサブキャリアを含む
ことを特徴とする基準信号生成方法。
【請求項７】
前記初期シーケンスは、
ＵＥ ＩＤを排除した、セル識別子に基づく初期値から導き出される
ことを特徴とする請求項６に記載の基準信号生成方法。
【請求項８】
前記ＵＥに対するアンテナポートに相応する前記ＲＳシーケンスは、
前記ＵＥに対する少なくとも１つのＰＲＢのインデックスによって、初期シーケンスの一部分をインターセプトし、前記アンテナポートによるコードを前記初期シーケンスの一部分に適用して、獲得される
ことを特徴とする請求項６に記載の基準信号生成方法。
【請求項９】
前記１つのＲＥグループに適合する少なくとも２つのアンテナポートは、
１つのＲＥグループでマッピングされた前記少なくとも２つのアンテナポートに相応する少なくとも２つのＲＳシーケンスの少なくとも１つのコードにより、コード分割多重化される
ことを特徴とする請求項６に記載の基準信号生成方法。
【請求項１０】
前記ＰＲＢ対は、
サブフレームで同じＰＲＢインデックスを有する２つのＰＲＢを含む
ことを特徴とする請求項６に記載の基準信号生成方法。
【請求項１１】
通信システムで基準信号（ｒｅｆｅｒｅｎｃｅ ｓｉｇｎａｌ，ＲＳ）を生成するユーザ装置（ｕｓｅｒ ｅｑｕｉｐｍｅｎｔ，ＵＥ）において、
前記ＵＥに対する少なくとも１つの物理資源ブロック（ｐｈｙｓｉｃａｌ ｒｅｓｏｕｒｃｅ ｂｌｏｃｋ，ＰＲＢ）の割り当てを確認し、前記ＵＥに対する少なくとも１つのＰＲＢ上で前記ＵＥに対するアンテナポートに相応するＲＳシーケンスを獲得するプロセッサを含み、
前記ＵＥに対するＲＳシーケンスは、セル識別子（ｃｅｌｌ ｉｄｅｎｔｉｆｉｅｒ，ｃｅｌｌ ＩＤ）に基づく初期値から導き出された、初期シーケンス及び前記ＵＥに対する少なくとも１つのＰＲＢインデックスに基づき、獲得され、
前記アンテナポートは、１つのＰＲＢ対で、３つの資源要素（ｒｅｓｏｕｒｃｅ ｅｌｅｍｅｎｔ，ＲＥ）グループを含み、
１つのＲＥグループは２つのＲＥ対を含み、
１つのＲＥ対は、時間軸で２つの連続する直交周波数分割マルチプレクシング（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボルと、周波数軸で１つのサブキャリアを含む
ことを特徴とするユーザ装置。
【請求項１２】
前記初期シーケンスは、
ＵＥ ＩＤを排除した、セル識別子に基づく初期値から導き出される
ことを特徴とする請求項１１に記載のユーザ装置。
【請求項１３】
前記ＵＥに対するアンテナポートに相応する前記ＲＳシーケンスは、
前記ＵＥに対する少なくとも１つのＰＲＢのインデックスによって、初期シーケンスの一部分をインターセプトし、前記アンテナポートによるコードを前記初期シーケンスの一部分に適用して、獲得される
ことを特徴とする請求項１１に記載のユーザ装置。
【請求項１４】
前記１つのＲＥグループに適合する少なくとも２つのアンテナポートは、
１つのＲＥグループでマッピングされた前記少なくとも２つのアンテナポートに相応する少なくとも２つのＲＳシーケンスの少なくとも１つのコードにより、コード分割多重化される
ことを特徴とする請求項１１に記載のユーザ装置。
【請求項１５】
前記ＰＲＢ対は、
サブフレームで同一のＰＲＢインデックスを有する２つのＰＲＢを含む
ことを特徴とする請求項１１に記載のユーザ装置。
【請求項１６】
通信システムでユーザ装置（ｕｓｅｒ ｅｑｕｉｐｍｅｎｔ，ＵＥ）の基準信号（ｒｅｆｅｒｅｎｃｅ ｓｉｇｎａｌ，ＲＳ）を生成する方法において、
前記ＵＥに対する少なくとも１つの物理資源ブロック（ｐｈｙｓｉｃａｌ ｒｅｓｏｕｒｃｅ ｂｌｏｃｋ，ＰＲＢ）の割り当てを確認する段階と、
前記ＵＥに対する少なくとも１つのＰＲＢ上で前記ＵＥに対するアンテナポートに相応するＲＳシーケンスを獲得する段階とを含み、
前記ＵＥに対するＲＳシーケンスは、セル識別子（ｃｅｌｌ ｉｄｅｎｔｉｆｉｅｒ，ｃｅｌｌ ＩＤ）に基づく初期値から導き出された、初期シーケンス及び前記ＵＥに対する少なくとも１つのＰＲＢインデックスに基づき、獲得され、
前記アンテナポートは、１つのＰＲＢ対で、３つの資源要素（ｒｅｓｏｕｒｃｅ ｅｌｅｍｅｎｔ，ＲＥ）グループを含み、
１つのＲＥグループは２つのＲＥ対を含み、
１つのＲＥ対は、時間軸で２つの連続する直交周波数分割マルチプレクシング（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボルと、周波数軸で１つのサブキャリアを含む
ことを特徴とする基準信号生成方法。
【請求項１７】
前記初期シーケンスは、
ＵＥ ＩＤを排除した、セル識別子に基づく初期値から導き出される
ことを特徴とする請求項１６に記載の基準信号生成方法。
【請求項１８】
前記ＵＥに対するアンテナポートに相応する前記ＲＳシーケンスは、
前記ＵＥに対する少なくとも１つのＰＲＢのインデックスによって、初期シーケンスの一部分をインターセプトし、前記アンテナポートによるコードを前記初期シーケンスの一部分に適用して、獲得される
ことを特徴とする請求項１６に記載の基準信号生成方法。
【請求項１９】
前記１つのＲＥグループに適合する少なくとも２つのアンテナポートは、
１つのＲＥグループでマッピングされた前記少なくとも２つのアンテナポートに相応する少なくとも２つのＲＳシーケンスの少なくとも１つのコードにより、コード分割多重化される
ことを特徴とする請求項１６に記載の基準信号生成方法。
【請求項２０】
前記ＰＲＢ対は、
サブフレームで同一のＰＲＢインデックスを有する２つのＰＲＢを含む
ことを特徴とする請求項１６に記載の基準信号生成方法。
【発明の詳細な説明】
【技術分野】
【０００１】
本発明は、一般的に無線通信技術に関し、より詳細には、無線通信システムにおいて専用基準信号（Ｄｅｄｉｃａｔｅｄ  Ｒｅｆｅｒｅｎｃｅ  Ｓｉｇｎａｌ、ＤＲＳ）を生成するための方法及び装置に関する。
【背景技術】
【０００２】
進歩したロングタームエボルション（ＬＴＥ−Ａ）システムにおいて高いピーク速度を支援するために、各々のセルに対して８個の伝送アンテナが構成される。基準信号（ＲＳ）のオーバーヘッドを低減するために、ダウンリンクデータを復調するためのＤＲＳが利用される。基地局は、各々のユーザ装置（Ｕｓｅｒ  Ｅｑｕｉｐｍｅｎｔ、ＵＥ）の各々のデータストリームに対してＤＲＳを伝送する。セル内の大部分のＵＥは、低ランク伝送モードを採用し、ここで、ランク値は、ＵＥによって同時に伝送されるストリームの数と同一である。このように、各々のＵＥによって実際に伝送されるＤＲＳの数が小さく、それにより、基準信号のオーバーヘッドを減少させる。さらに、ＤＲＳを利用することによって、協力マルチ−ポイント（Ｃｏｏｒｄｉｎａｔｅｄ  Ｍｕｌｔｉ−Ｐｏｉｎｔ、ＣｏＭＰ）伝送と多重ユーザ多重入力多重出力（ＭＵ−ＭＩＭＯ）伝送が容易になる。
【０００３】
ＬＴＥ−Ａシステムにおいて、ＣｏＭＰ伝送は、主としてセルの平均スループットとセル境界でのスループットを改善するために利用され、２つの特定実行モード、すなわち協力スケジューリング（ｃｏｏｒｄｉｎａｔｅｄ  ｓｃｈｅｄｕｌｉｎｇ）と協力マルチ−ポイントジョイント伝送（ｃｏｏｒｄｉｎａｔｅｄ  ｍｕｌｔｉ−ｐｏｉｎｔ  ｊｏｉｎｔ  ｔｒａｎｓｍｉｓｓｉｏｎ）を含む。協力スケジューリングに対して、ただ１つのＵＥのデータがただ１つの送信ノード、すなわち１つのサービングセルから出る。他のノードによって伝送されたデータは、干渉として受信されるので、多数のノードが干渉水準を制御するために協力スケジューリングを要求する。協力マルチ−ポイントジョイント伝送に対して、多数のノードが同一の時間−周波数資源を利用して１つのＵＥにデータを伝送することができ、それにより、ＵＥの信号対雑音比を増加させ、干渉を減らす。ＬＴＥ−Ａシステムは、ＤＲＳを基盤として透明な協力マルチ−ポイントジョイント伝送を支援することができる。ＵＥは、１つのノードによって伝送された物理的ダウンリンク制御チャネル（ＰＤＣＣＨ）のデータのみを受信し、ノードは、ＵＥのサービングセルとなる。同時に、データ伝送は、ＤＲＳを基盤とし、ＵＥは、ＤＲＳを受信してチャネル評価を行い、データを復調するが、どんなノードがデータを伝送するかを考慮しない。
【０００４】
さらに、ＬＴＥ−Ａシステムは、ＭＵ−ＭＩＭＯを採用するので、多数のＵＥのデータが同一の時間−周波数資源を利用して伝送されることができる。また、ＭＵ−ＭＩＭＯは、ＬＴＥシステムでも支援される。しかし、ＬＴＥでのＭＵ−ＭＩＭＯは、性能利得を制限する単一ユーザＭＩＭＯ（ＳＵ−ＭＩＭＯ）を基盤として定義される。ＬＴＥ−Ａシステムにおいて、ＵＥがさらに正確なチャネル品質指示子（ＣＱＩ）を報告し、データ復調時にできるだけ干渉を除去できるように１つのＵＥとＭＵ−ＭＩＭＯを実行する他のＵＥのスケジューリング情報を提供することによって、ＭＵ−ＭＩＭＯが最適化される。ＤＲＳを基盤とするＭＵ−ＭＩＭＯに対して、基地局は、ＭＵ−ＭＩＭＯを実行する多数のＵＥが良いチャネル評価性能を得るために、好ましくは、直交する異なるＤＲＳパターンを採用するように構成される。
【０００５】
図１は、従来のＤＲＳ構造を示す。コード分割多重化（ＣＤＭ）と周波数分割多重化（ＦＤＭ）モードが採用される、すなわちＤＲＳ伝送のための資源要素（ＲＥ）がＦＤＭモードを利用して２つのグループに分けられ、多重データストリームのＤＲＳは、ＣＤＭモードを使用して各々のＲＥグループで多重化される。以下では、ＲＥの各々のグループは、ＣＤＭ ＲＥグループと呼ばれる。
【０００６】
図２は、ＤＲＳを生成しマッピングするための従来の方法を示している。図２から明らかなように、各々のアンテナポートのＲＳシーケンス、すなわちＤＲＳシーケンスが生成され、次に、ＲＥマッピングがＲＳシーケンスに対して実行される。ＲＳシーケンス生成のための３つの方法がある。第一の方法で、１つのランダムシーケンスが異なる初期化値を使用して各々のアンテナポートに対して生成され、次に、ＲＳシーケンスは、ランダムシーケンスによって生成される。第二の方法で、１つのランダムシーケンスが１つの初期化値を利用して生成され、１つの長いスクランブリングシーケンスがランダムシーケンスによって生成され、長いスクランブリングシーケンスが多数の詳細項目に分割され、各々のアンテナポートのＲＳシーケンスが得られる。第三の方法で、１つのランダムシーケンスが１つの初期化値を利用して生成され、次に、１つのスクランブリングコードシーケンスがランダムシーケンスによって生成され、各々のアンテナポートは、スクランブリングコードシーケンスをＲＳシーケンスとして使用する。
【０００７】
ＣＤＭモードを利用するＤＲＳ構造またはＣＤＭモードと他の多重化モードを一緒に利用するＤＲＳ構造に対して、図２に示されたＲＳシーケンスを生成する段階、例えば、図３に示されたＤＲＳ生成及びマッピングする方法が詳しく説明されることができる。図３から明らかなように、各々のアンテナポートのＲＳシーケンスが生成され、次に、各々のＲＳシーケンスの各々の要素が拡散ＲＳシーケンスを得るために拡散し、ここで、拡散コードは、Ｗａｌｓｈ（ワルシ）コードであることができ、ＲＥマッピングが拡散ＲＳシーケンスに対して実行される。
【０００８】
図３に示された方法において、すべてのアンテナポートのＲＳシーケンスが同一であれば、多重データストリームのＤＲＳがＣＤＭモードを利用して伝送される時、１つのＯＦＤＭシンボル上のＤＲＳが二倍の送信電力を採用し、他のＯＦＤＭシンボル上のＤＲＳが送信電力を有しないことが可能であり、それにより、データ伝送のための全体電力に影響を与える。もしすべてのアンテナポートのＲＳシーケンスが互いに独立的なら、ＤＲＳの送信電力の不均衡は、問題にならない。しかし、図３に示された方法は、異なるセル間のＤＲＳ干渉を抑制することができない。一般的に、干渉が少ないほど、性能は良くなるが、図３に示された方法は、任意のセルまたはＵＥからの持続的な干渉を引き起こす。
【先行技術文献】
【特許文献】
【０００９】
【特許文献１】国際公開第２００９／１１６７６９号
【発明の概要】
【発明が解決しようとする課題】
【００１０】
前述の内容を考慮して、本発明の目的は、異なるセル間のＤＲＳ干渉をランダム化することができるＤＲＳを生成する方法及び装置を提供することにある。
【課題を解決するための手段】
【００１１】
本発明は、ＯＦＤＭシンボルの電力不均衡の問題を解決し、且つセル間のＤＲＳ干渉をランダム化する。さらに、本発明は、ＭＵ−ＭＩＭＯの性能を最適化し、ＵＥがＭＵ−ＭＩＭＯを実行する他のＵＥのＤＲＳシーケンス情報を知ることができるように許容し、それにより、明示的ＭＵ−ＭＩＭＯ伝送モードを支援する。
【００１２】
上記目的を達成するために、ＤＲＳを生成する方法は、各々のアンテナポートのＲＳシーケンスを生成する段階と、各々のＲＳシーケンスを拡散し、拡散ＲＳシーケンスを獲得する段階と、あらかじめ定義されたスクランブリングコードを各々の拡散ＲＳシーケンスに乗算し、所望のＤＲＳシーケンスを獲得する段階とを含む。
【００１３】
各々のアンテナポートのＲＳシーケンスを生成する段階は、ＲＳシーケンスを生成するための初期化パラメータを決定する段階と、初期化パラメータによって初期化値を計算する段階と、初期化値によって各々のアンテナポートのＲＳシーケンスを生成する段階とを含む。
【００１４】
あらかじめ定義されたスクランブリングコードを各々の拡散ＲＳシーケンスに乗算する段階は、スクランブリングコードを生成するための初期化パラメータを決定する段階と、初期化パラメータによって初期化値を計算する段階と、アンテナポートと関係ない共通スクランブリングコードを生成する段階と、共通スクランブリングコードを各々の拡散ＲＳシーケンスに乗算する段階と、スクランブリングコードを生成するための初期化パラメータを決定し、初期化パラメータによって初期化値を計算し、初期化値によってＮ個のスクランブリングコードを生成し、拡散ＲＳシーケンスに対応するスクランブリングコードを各々の拡散ＲＳシーケンスに乗算する段階とを含み、ここで、Ｎは、正の整数であり、ＤＲＳを伝送するためのコード分割多重化資源要素（ＣＤＭ ＲＥ）グループの数と同一である。
【００１５】
ＲＳシーケンスを生成するための初期化値は、スクランブリングコードを生成するための初期化値と同一であるか、または異なる。
【００１６】
ＵＥがＭＵ−ＭＩＭＯ伝送モードを採用しないか、暗黙的ＭＵ−ＭＩＭＯ伝送モードを採用すれば、アンテナポート識別子（ｐｏｒｔ  ＩＤｅｎｔｉｆｉｅｒ（ＩＤ））、ＵＥが位置するセルの識別子（ｃｅｌｌ ＩＤ）、ＵＥの識別子（ＵＥ ＩＤ）、及び／またはＤＲＳシーケンスが位置するタイムスロットのタイムスロット番号が初期化パラメータとして利用される。
【００１７】
ＵＥが明示的単一セルＭＵ−ＭＩＭＯ伝送モードを採用すれば、ポートＩＤ、セルＩＤ、及び／またはタイムスロット番号が初期化パラメータとして利用される。ＵＥが協力マルチ−ポイント（ＣｏＭＰ）伝送モードと明示的ＭＵ−ＭＩＭＯ伝送モードを採用する時、ポートＩＤ、タイムスロット番号、あらかじめ定義されたＣｏＭＰ領域ＩＤ、及び／またはシステムフレーム番号が初期化パラメータとして利用される。
【００１８】
ポートＩＤは、ＲＳシーケンスを生成するための初期化パラメータとして利用され、ＣＤＭ ＲＥグループのインデックスは、さらに、Ｎ個のスクランブリングコードを生成するためのモードで初期化パラメータとして追加に使用される。
【００１９】
各々のＲＳシーケンスを拡散する段階は、拡散コードを各々のＲＳシーケンスに乗算する段階と、各々のアンテナポートのホッピングによるあらかじめ定義された拡散コードを利用する段階とを含む。各々のアンテナポートのホッピングによるあらかじめ定義された拡散コードを利用する段階は、物理的資源ブロック（ＰＲＢ）をユニットとして取ることによって、拡散コードを変更するか、最も小さいＣＤＭ ＲＥグループをユニットとして取ることによって、拡散コードを変更する段階を含む。
【００２０】
方法は、各々のアンテナに対してＵＥに割り当てられたすべてのＰＲＢに対する各々のＤＲＳシーケンスを生成する段階と、ＲＳシーケンスを生成するためにＰＲＢのインデックスまたはＰＲＢのインデックスから変換された値を初期化パラメータとして利用する段階と、ＰＲＢに各々対応するＤＲＳシーケンスを結合する段階と、所望のＤＲＳシーケンスを獲得する段階とをさらに含む。
【００２１】
また、各々のアンテナポートに対して初期ＤＲＳシーケンスを生成する段階と、ＵＥに割り当てられたすべてのＰＲＢのインデックスまたはＰＲＢのインデックスから変換された値によって初期ＤＲＳシーケンスからセグメントをインターセプトする段階と、インターセプトされたセグメントを結合する段階と、所望のＤＲＳシーケンスを獲得する段階とを含む。
【００２２】
また、各々のアンテナポートに対するＤＲＳシーケンスを生成し、生成されたＤＲＳシーケンスの長さは、ＰＲＢ内のＤＲＳシーケンスの長さと同一であり、生成されたＤＲＳシーケンスは、ＵＥに割り当てられたすべてのＰＲＢと関係ない段階と、生成されたＤＲＳシーケンスをＰＲＢに各々対応するＤＲＳシーケンスとして利用し、ＰＲＢに各々対応するＤＲＳシーケンスを結合し、所望のＤＲＳシーケンスを獲得する段階とを含む。
セグメントは、各々のサブフレームの各々のタイムスロット内のＰＲＢのインデックスによって、またはＰＲＢのインデックスから変換された値によってインターセプトされる。
【００２３】
ＤＲＳを生成する装置は、各々のアンテナポートのＲＳシーケンスを生成する生成ユニットと、各々のＲＳシーケンスを拡散し、拡散ＲＳシーケンスを獲得し、各々の拡散ＲＳシーケンスにあらかじめ定義されたスクランブリングコードを乗算し、所望のＤＲＳシーケンスを獲得する拡散ユニットとを含む。
【００２４】
生成ユニットは、ＲＳシーケンスを生成するための初期化パラメータを決定し、初期化パラメータによって初期化値を計算する演算サブユニットと、初期化値によって各々のアンテナポートのＲＳシーケンスを生成する生成サブユニットとを含む。
【００２５】
拡散ユニットは、各々のＲＳシーケンスに拡散コードを乗算し、あらかじめ定義された拡散コードを利用して各々のアンテナポートのホッピングを実行する第１拡散サブユニットと、スクランブリングコードを生成するために初期化パラメータを決定し、初期化パラメータによって初期化値を計算し、初期化値によってアンテナポートと関係ない共通スクランブリングコードを生成し、各々の拡散ＲＳシーケンスに共通スクランブリングコードを乗算する第２拡散サブユニットとを含む。
【００２６】
拡散ユニットは、各々のＲＳシーケンスに拡散コードを乗算し、あらかじめ定義された拡散コードを利用して各々のアンテナポートのホッピングを実行する第１拡散サブユニットと、スクランブリングコードを生成するために初期化パラメータを決定し、初期化パラメータによって初期化値を計算し、初期化値によってＮ個のスクランブリングコードを生成し、各々の拡散ＲＳシーケンスに対応するスクランブリングコードを乗算する第２拡散サブユニットとをさらに含み、ここで、Ｎは、正の整数であり、ＤＲＳ伝送のためのＣＤＭ ＲＥグループの数と同一である。
【００２７】
この装置は、各々の所望するＤＲＳシーケンスに対してＲＥマッピングを実行するマッピングユニットをさらに含む。
【発明の効果】
【００２８】
したがって、本発明において、拡散ＲＳシーケンスが獲得された後、拡散ＲＳシーケンスがあらかじめ定義されたスクランブリングコードと乗算され、特定フォーマットのスクランブリングコードが要求条件によって構成されることができ、したがって、ＯＦＤＭシンボルの電力不均衡問題が解消されると共に、異なるセル間のＤＲＳ干渉をもランダム化されることができる。さらに、本発明は、ＭＵ−ＭＩＭＯ性能を最適化し、ＵＥがＭＵ−ＭＩＭＯを実行する他のＵＥのＤＲＳ情報を知ることができるようにし、それにより、明示的ＭＵ−ＭＩＭＯ伝送モードを支援する。
【図面の簡単な説明】
【００２９】
【図１】従来のＤＲＳ構造を示す。
【図２】ＤＲＳを生成しマッピングする従来の方法を示す。
【図３】従来技術でＤＲＳを生成しマッピングするための他の方法を示す。
【図４】本発明の一実施例によってＤＲＳを生成する方法を示す。
【図５】本発明の一実施例によって１つのスクランブリングコードが使用される実施を示す。
【図６】本発明の一実施例によって２つのスクランブリングコードが使用される実施を示す。
【図７】本発明の一実施例によってＰＲＢに対するＲＳシーケンスを生成するための過程を示す。
【図８】本発明の一実施例によるインターセプティング過程を示す。
【図９】本発明の一実施例によってＤＲＳを生成するための装置の構造を示す。
【発明を実施するための形態】
【００３０】
以下では、添付の図面を参照して本発明の実施例を詳しく説明する。同一の参照番号は、同一または同様の部分を言及するために添付の図面で使用される。これに含まれたよく知られた機能及び構造に対する詳細な説明は、明瞭性と簡潔性のために省略される。
【００３１】
従来の技術で発生する問題点を解決するために、本発明は、各々のアンテナポートのＲＳシーケンスを生成する段階と、各々のＲＳシーケンスを拡散し、拡散ＲＳシーケンスを獲得する段階と、各々の拡散ＲＳシーケンスにあらかじめ定義されたスクランブリングコードを乗算し、所望のＤＲＳシーケンスを獲得する段階と、各々のＤＲＳシーケンスに対するＲＥマッピングを実行する段階とを含むＤＲＳを生成しマッピングするための新規の方法を提供する。
【００３２】
ＣＤＭモードを利用するＤＲＳ構造またはＣＤＭモードとＦＤＭモードのような他の多重化モードを一緒に利用するＤＲＳ構造について、図４は、本発明の一実施例によってＤＲＳを生成する方法を示している。図４から明らかなように、この方法は、次の段階を含む。
【００３３】
４０１段階で、各々のアンテナポートのＲＳシーケンスが生成される。この段階で、ＲＳシーケンスを生成するための初期化パラメータが決定され、初期化値が初期化パラメータによって計算され、各々のアンテナポートのＲＳシーケンスが初期化値によって生成される。
【００３４】
上記で言及された初期化パラメータは、アンテナポートの識別子（ｐｏｒｔ ＩＤ）、ＵＥが位置するセルの識別子（ｃｅｌｌ ＩＤ）、ＵＥの識別子（ＵＥ ＩＤ）、及びＤＲＳシーケンスが位置するタイムスロットのタイムスロット番号を含むことができる。ＤＲＳを生成するための具体的な方法を例により説明する。
【００３５】
【数１】
0006042480.tif 000002
【００３６】
さらに、初期化値が初期化パラメータによって計算される時に、初期化値が異なり、独立的な疑似ランダムシーケンス（ｐｓｅｕｄｏ−ｒａｎｄｏｍ  ｓｅｑｕｅｎｃｅｓ）が異なる初期化値によって生成されること、すなわちすべてのアンテナポートのＲＳシーケンスが相互独立的であり、それにより、ＯＦＤＭシンボル上のＤＲＳの送信電力の不均衡を回避することができるだけ多く保障されなければならない。
【００３７】
４０２段階で、各々のＲＳシーケンスが拡散し、拡散ＲＳシーケンスが得られる。この段階で、各々のＲＳシーケンスに好ましくは、ワルシコードである拡散コードが乗算される。隣接セル間のＤＲＳ干渉をランダム化するために、ワルシコードは、各々のアンテナポートに対応するＲＳシーケンスでホッピングされることができる。同一セル内の多重アンテナポートは、同一のワルシコードホッピングシーケンスの循環移動を通じてＲＳシーケンスを獲得し、セル内のデータストリームのＤＲＳシーケンスの直交相互作用を実行する。異なるセルは、異なるホッピングパターンを採用して干渉均衡を実行する。ＣＤＭモードを利用するＤＲＳの各々のグループは、同一のワルシホッピングシーケンスを繰り返し的に使用するか、異なるワルシホッピングシーケンスを使用することができる。
【００３８】
ホッピングシーケンスが定義される時に、ワルシコードは、物理的資源ブロック（ＰＲＢ）または最も小さいＣＤＭ ＲＥグループをユニットとして取ることによって変更されることができる。長さが２のワルシコードが採用される時に、最も小さいＲＥグループは、２個のＲＥを含み、長さが４のワルシコードが採用される時に、最も小さいＲＥグループは、４個のＲＥを含む。ホッピングの一例として、各々のアンテナが１つのワルシコードを固定的に採用するが、他のセルは、ワルシコードとアンテナポート間の異なるマッピング関係を採用する。ワルシコードとアンテナフォード間のマッピング関係は、セルＩＤ、タイムスロット番号、及びＣＤＭ ＲＥグループのインデックス、例えば、ｍｏｄ（ｃｅｌｌ＿ＩＤ＋ｐ、Ｌｗ）またはｍｏｄ（ｃｅｌｌ＿ＩＤ＋ｇ＋ｐ、Ｌｗ）によって決定されることができ、ここで、ｐは、アンテナポートのインデックスであり、ｇは、ＣＤＭ ＲＥグループのインデックスであり、Ｌｗは、ワルシコードの長さである。
【００３９】
さらに、ＵＥが採用する伝送モードの差異によって、拡散コードが生成される時、採用された初期化パラメータが異なる。ここで、ＵＥによって採用される伝送モードは、ＭＵ−ＭＩＭＯを採用しない単一セル伝送モード、ＭＵ−ＭＩＭＯを採用しないＣｏＭＰ伝送モード、暗黙的単一セルＭＵ−ＭＩＭＯ伝送モード、ＣｏＭＰ及び明示的ＭＵ−ＭＩＭＯ伝送モードを含む。
【００４０】
ＭＵ−ＭＩＭＯを採用しない２つの伝送モードで、異なるセルがＤＲＳ干渉をランダム化するために異なるワルシホッピングパターンを採用しなければならないので、セルＩＤが初期化パラメータとして利用されることができるが、ＵＥ ＩＤは、一般的に初期化パラメータとして使用されることができず、それとも、ＵＥは、ＭＵ−ＭＩＭＯを実行する他のＵＥのＤＲＳシーケンスを知ることができない。これは、ＵＥが一般的にＭＵ−ＭＩＭＯを実行する他のＵＥのＩＤを知らず、この情報を動的に伝送するために大きいオーバーヘッドを要求するからである。ＣｏＭＰ及び明示的ＭＵ−ＭＩＭＯ伝送モードで、ＵＥがＭＵ−ＭＩＭＯを実行する他のＵＥのＤＲＳシーケンスを知らないので、セルＩＤは、初期化パラメータとして使用されることができない。これは、ＵＥが一般的にＭＵ−ＭＩＭＯを実行する他のＵＥが位置するセルのセルＩＤを知らず、ＵＥがこの情報を伝送するために大きいオーバーヘッドを要求するからである。
【００４１】
４０３段階で、各々の拡散ＲＳシーケンスにあらかじめ定義されたスクランブリングコードが乗算され、所望のＤＲＳシーケンスが獲得される。
【００４２】
この段階で、スクランブリングコードを生成するための初期化パラメータが決定され、初期化値が初期化パラメータによって計算され、スクランブリングコードが初期化値によって生成され、各々の拡散結果にスクランブリングコードが乗算される、すなわち、拡散ＲＳシーケンスがスクランブリングされる。スクランブリングコードの長さは、ＬＲＳｘＬｗであり、ここで、ＬＲＳは、ＲＳシーケンスの長さを示し、Ｌｗは、拡散コードの長さを示す。初期化値が初期化パラメータによって計算される時に、異なる初期化値によって独立的な疑似ランダムシーケンスを生成するために初期化値が異なることができるだけ多く保障されなければならない。
【００４３】
実際的な適用で、すべてのＲＳシーケンスは、同一のスクランブリングコードを採用することができる、すなわち、図５から明らかなように、各々のＲＳシーケンスにアンテナポートと関係がない共通スクランブリングコードが乗算される。
【００４４】
図５は、１つのスクランブリングコードが本発明の一実施例によって使用される方法を示している。この方法は、ＣＤＭモードを利用するＤＲＳ構造とＣＤＭモードと他の多重化モードを一緒に利用するＤＲＳ構造に適用される。この方法は、ＯＦＤＭシンボルの電力不均衡の問題を解決することができ、異なるセル間のＤＲＳ干渉をランダム化することができる。
【００４５】
ＤＲＳを伝送するＲＥが周波数分割多重化（ＦＤＭ）モードまたは時分割多重化（ＴＤＭ）モードによってＮ個のグループに分割されると仮定し、ここで、Ｎは、一般的に２であり、多重アンテナポートのＤＲＳは、各々のＣＤＭ ＲＥグループでＣＤＭモードを利用して多重化される。図６から明らかなように、セル間のＤＲＳ干渉をさらにランダム化するために、２つの異なるスクランブリングコードは、２つの異なるＣＤＭ ＲＥグループに属するアンテナポートに各々対応するＲＳシーケンスのために使用されることができる。
【００４６】
図６は、２つのスクランブリングコードが本発明の一実施例によって使用される方法を示している。
【００４７】
実際的な適用で、スクランブリングコードを生成するための初期化パラメータが図４の４０１段階で、ＲＳシーケンスを生成するための初期化パラメータと同一であるか、または異なることができる。一般的に、ＲＳシーケンスを生成するための初期化パラメータは、例えば、ポートＩＤ、セルＩＤ、ＵＥ ＩＤ、または時間スロット番号であることができ、スクランブリングコードを生成するための初期化パラメータは、ポートＩＤを除いたセルＩＤ、ＵＥ ＩＤ、及びタイムスロット番号であることができる。さらに、図６に示された方法で、ＣＤＭ ＲＥグループのインデックスは、またスクランブリングコードを生成するための初期化パラメータとして使用されることができる。
【００４８】
図４の４０３段階が選択的なことが注目される。４０３段階が実行されなければ、セル間の干渉均衡が４０２段階の拡散コードのホッピングによって実行されることができる。基地局は、この段階の実行可否をＵＥに通知するために１つの情報ビットを使用することができ、１つの情報ビットは、パケットデータ制御チャネル（ＰＤＣＣＨ）または上位シグナリングを通じてＵＥに伝送されることができる。さらに、１つの情報ビットは、また伝送モードと結合されることができ、例えば、４０３段階は、ＣｏＭＰと明示的ＭＵ−ＭＩＭＯ伝送モードでは実行されず、他の伝送モードで実行される。
【００４９】
実際的適用で、ＵＥによって使用される異なる伝送モードによって、異なる情報が初期化パラメータとして利用されることができる。
【００５０】
次の実施例は、ＦＤＭモード、ＴＤＭモード、ＣＤＭモード、及びこれらの任意の組合を含む任意の１つの多重化モードを利用するＤＲＳ構造のために、そしてＤＲＳを生成するための任意の一方法のために使用されることができ、ＣＤＭモードを利用するＤＲＳ構造やＣＤＭモードと他の多重化モードを一緒に利用するＤＲＳ構造によって本発明によって提供されるＤＲＳを生成するための方法に制限されないことが注目される。図２に示された方法で、初期化パラメータは、通常、ＲＳシーケンスを生成するための初期化パラメータを言う。図３に示された方法で、初期化パラメータは、またＲＳシーケンス生成のための初期化パラメータを言う。図４に示された方法で、初期化パラメータを決定するための規則がＲＳシーケンスを生成するための方法とスクランブルコード生成するための方法に共に適用される。
【００５１】
ＭＵ−ＭＩＭＯを採用しない単一セル伝送モードとＭＵ−ＭＩＭＯを採用しないＣｏＭＰ伝送モードで、ポートＩＤ、セルＩＤ、ＵＥ ＩＤ、及び時間スロット番号が初期化パラメータとして使用されることができる。
【００５２】
暗黙的単一セルＭＵ−ＭＩＭＯ伝送モードとＣｏＭＰと暗黙的ＭＵ−ＭＩＭＯ伝送モードで、ポートＩＤ、セルＩＤ、ＵＥ ＩＤ、及びタイムスロット番号が初期化パラメータとして使用されることができる。
【００５３】
２つの明示的ＭＵ−ＭＩＭＯ伝送モードで、ＵＥは、ＵＥに対する他のＵＥの干渉を抑制するためにＭＵ−ＭＩＭＯを実行する他のＵＥのＤＲＳを知る必要がある。この２つの伝送モードで、初期化パラメータの選択は、多少制限される。
【００５４】
明示的単一セルＭＵ−ＭＩＭＯ伝送モードで、ＵＥは、一般的にＭＵ−ＭＩＭＯを実行する他のＵＥのＩＤを知らず、この情報を動的に伝送するために、大きいオーバーヘッドを要求するので、ＵＥ ＩＤは一般的に初期化パラメータとして使用されない。ＵＥ ＩＤを除いた他の情報は、初期化パラメータとして使用されることができる。
【００５５】
ＵＥ ＩＤ以外にも、ＣｏＭＰ及び明示的ＭＵ−ＭＩＭＯ伝送モードで、１つの基地局が多数のセルに属する多数のＵＥに１つのＰＲＢにあるデータを同時に伝送することができるが、ＵＥは、一般的にＭＵ−ＭＩＭＯを実行する他のＵＥらが位置するセルのセルＩＤを知らず、この情報を伝送するために大きいオーバーヘッドを要求するので、セルＩＤは、初期化パラメータとして使用されない。ＵＥ ＩＤとセルＩＤを除いた他の情報は、初期化パラメータとして使用されることができる。
【００５６】
ＣｏＭＰ及び明示的ＭＵ−ＭＩＭＯ伝送モードで、セル間のＤＲＳ干渉のランダム化性能を向上させるために、ＣｏＭＰ領域ＩＤが定義されることができ、初期化パラメータとして使用される。ＣｏＭＰ領域ＩＤの定義は、本技術分野においてよく知られていて、簡潔性のためにここで省略される。さらに、システムフレーム番号（ＳＦＮ）がまたＤＲＳ干渉をさらにランダム化するために初期化パラメータとして使用されることができる。
【００５７】
明示的単一セルＭＵ−ＭＩＭＯ伝送モードとＣｏＭＰ及び明示的ＭＵ−ＭＩＭＯ伝送モードで、ＭＵ−ＭＩＭＯの受信性能を向上させるために、ＵＥは、ＭＵ−ＭＩＭＯを実行する他のＵＥのＤＲＳ情報を知らなければならない。特に、ダウンリンク資源がＰＲＢをユニットとして取ることによって割り当てられれば、ＵＥは、他のＵＥの同等なチャネルを評価し干渉を除去するために、基地局によってＵＥに割り当てられた各々のＰＲＢ上の他のＭＵ−ＭＩＭＯ ＵＥのために使用されるＤＲＳシーケンスを知っていなければならない。
【００５８】
ＭＵ−ＭＩＭＯを実行する２つ以上のＵＥに割り当てられたＰＲＢは、ＵＥがＲＳシーケンスが生成される時にＭＵ−ＭＩＭＯを実行する他のＵＥによって使用されるＤＲＳを知ることができることを保障するために、部分的に重畳されることができるので、本発明は、基地局によってＵＥに割り当てられたＰＲＢのインデックスがＵＥのＤＲＳシーケンスが生成される時に使用される必要があることを指摘する。ここで、ＰＲＢのインデックスは、ＤＲＳシーケンスを生成するために直接使用されることができるか、ＰＲＢのインデックスから変換された値がＤＲＳシーケンスを生成するために使用される。ここで、変換の原理は、同一周波数位置を有するＰＲＢのインデックスが変換された後に同一の値が獲得されることを保障することである。例えば、ＣｏＭＰ及び明示的ＭＵ−ＭＩＭＯ伝送モードで、ＣｏＭＰ伝送を実行する多重セルのダウンリンク帯域幅は、異なることができ、よって、２つのセルで同一の周波数位置を有するＰＲＢのインデックスは異なることができるが、同一周波数位置を有するＰＲＢのインデックスが変換された後に同一の値が獲得されることが保障され、これにより、ＵＥがＭＵ−ＭＩＭＯを実行する他のＵＥによって使用されるＤＲＳシーケンスを知ることができることを保障する。
次の処理モードが本発明を実行するために使用されることができる。
【００５９】
第１モード
図７は、本発明の一実施例によってＰＲＢに対するＲＳシーケンスを生成するための過程を示している。図７に示されたように、各々のアンテナポートに対して、ＲＳシーケンスが基地局によってＵＥに割り当てられた各々のＰＲＢに対して生成される。基地局によってＵＥに割り当てられたＰＲＢのインデックスまたはＰＲＢのインデックスから変換された値がＲＳシーケンスを生成するための初期化パラメータとして使用される。これを基盤として、他の初期化パラメータ、例えば、ポートＩＤとタイムスロット番号もまた使用されることができる。各々のアンテナポートに対して、すべてのＰＲＢに対応するＲＳシーケンスが結合され、所望のＤＲＳシーケンスが獲得される。
【００６０】
【数２】
0006042480.tif 000003
【００６１】
初期化値を計算するための方法が例として示されていて、本発明の技術的解決策を制限するために使用されないという点を注目しなければならない。
【００６２】
さらに、初期化値が初期化パラメータによって計算される時に、異なる初期化値によって独立的な疑似ランダムシーケンスを生成するために、すなわち、すべてのアンテナポートのＲＳシーケンスが相互独立するように、初期化値が異なることができるだけ多く保障されなければならない。
【００６３】
特に、ＣＤＭモードを利用するＤＲＳ構造とＣＤＭモードと他の多重化モードを一緒に利用するＤＲＳ構造に対して、図４に示された方法で、もしスクランブリング動作が実行されなければ、ここで言及された結合動作が拡散動作の前に実行されることができる、すなわち、拡散動作がＲＳシーケンスがＰＲＢに対して生成され結合された後に実行される。または、結合動作は、拡散動作後に実行されることができる、すなわち結合動作がＲＳシーケンスがＰＲＢに対して生成され拡散した後に実行される。もしスクランブリング動作が実行されれば、ここで言及された結合動作は、スクランブリング動作後に実行されることができる、すなわちＲＳシーケンスがＰＲＢに対して生成され、スクランブリングコードがＰＲＢに対して生成され、ＲＳシーケンスが拡散し、スクランブリングされて結合される。
【００６４】
第２モード
図８は、本発明の一実施例によるインターセプティング過程を示している。図８に示されたように、ＤＲＳシーケンスセグメントを得るために、初期ＤＲＳシーケンスがまず各々のアンテナポートに対して生成され、次に、初期ＤＲＳシーケンスが基地局によってＵＥに割り当てられたＰＲＢのインデックスまたはＰＲＢのインデックスから変換された値によってインターセプトされる。所望のＤＲＳシーケンスを得るために、ＤＲＳシーケンスは、基地局によってＵＥに割り当てられたＰＲＢのインデックスまたはＰＲＢのインデックスから変換された値によって結合される。
【００６５】
初期ＤＲＳシーケンス内の各々の要素の特定配列構造によって、１つのＰＲＢに対応するＤＲＳシーケンスセグメントは、初期ＤＲＳシーケンス内に複数の連続した要素を含むことができる。結合動作は、単一連結（ｃｏｎｃａｔｅｎａｔｉｏｎ）動作であるか、１つのＰＲＢに対応するＤＲＳシーケンスセグメントがまた初期ＤＲＳシーケンス内に複数の不連続要素を含むことができる。不連続要素は、各々インターセプトされ、結合されなければならない。物理的ダウンリンク共有チャネル（ＰＤＳＣＨ）内のタイムスロットホッピング周波数を採用するＵＥに対して、インターセプティング動作は、各々のサブフレームの第１の時間スロット内のＰＲＢのインデックスまたはＰＲＢのインデックスから変換された値によって実行されるか、インターセプティング動作は、各々のサブフレームの各々のタイムスロット内のＰＲＢのインデックスまたはＰＲＢのインデックスから変換された値によって実行される。一般的に、地域ＰＤＳＣＨとホッピング周波数ＰＤＳＣＨが多重化されれば、前述された第二のインターセプティングモードが採用される。
【００６６】
同様に、ＣＤＭモードを利用するＤＲＳ構造とＣＤＭモードと他の多重化モードを一緒に利用するＤＲＳ構造に対して、図４に示された方法で、もしスクランブリング動作が実行されなければ、ここで言及したインターセプティング動作と結合動作が拡散動作の前に実行されることができる、すなわち拡散動作がＲＳシーケンスの生成及び結合後に実行される。または、インターセプティング動作と結合動作が拡散動作後に実行されることができる、すなわちインターセプティング動作と結合動作がＲＳシーケンス生成及び拡散後に実行される。もしスクランブリング動作が実行されれば、ここで言及されたインターセプティング動作と結合動作は、スクランブリング動作後に実行されることができる、すなわちインターセプティング動作と結合動作は、ＲＳシーケンスとスクランブリングコードが生成され、ＲＳシーケンスが拡散及びスクランブリングされた後に実行される。
第２モードは、次の例によって説明される。
【００６７】
【数３】
0006042480.tif 000004
【００６８】
第２例
図１に示されたＤＲＳ多重化構造に対して、初期ＤＲＳシーケンス内の要素の一番目の半分は、伝送される各々のＰＲＢ内の一番目の２つのカラム（ｃｏｌｕｍｎ）のＤＲＳＲＥにマッピングされ、初期ＤＲＳシーケンス内の要素の二番目の半分は、伝送される各々のＰＲＢ内の最後の２つの列にマッピングされると、すなわち１つのＰＲＢのＤＲＳシーケンスセグメントが初期ＤＲＳシーケンス内の２つの位置にマッピングされると仮定する。
【００６９】
【数４】
0006042480.tif 000005
【００７０】
第３モード
各々のアンテナポートに対して、１つのＤＲＳシーケンスが生成され、ＤＲＳシーケンスの長さは、１つのＰＲＢ内のＤＲＳシーケンスの長さと同一であり、生成されたＤＲＳシーケンスは、ＵＥに割り当てられたＰＲＢのインデックスと関係がない。生成されたＤＲＳシーケンスが基地局によってＵＥに割り当てられた各々のＰＲＢに対応するＤＲＳシーケンスとして取り、すべてのＰＲＢに対応するＤＲＳシーケンスが結合され、所望のＤＲＳシーケンスが求められる。
【００７１】
ＣＤＭモードを利用するＤＲＳ構造またはＣＤＭモードと他の多重化モードを一緒に利用するＤＲＳ構造に対して、図４に示された方法で、もしスクランブリング動作が実行されなければ、ここで言及された結合動作が拡散動作の前に実行されることができる、すなわち拡散動作は、ＲＳシーケンスが１つのＰＲＢに対して生成され、基地局によって割り当てられたＰＲＢに対して使用された後に実行される。または、結合動作が拡散動作後に実行されることができる、すなわち拡散動作がＲＳシーケンスが１つのＰＲＢに対して生成され、拡散し、基地局によって割り当てられたＰＲＢに対して使用された後に実行される。もしスクランブリング動作が実行されれば、ここで言及された結合動作は、スクランブリング動作後に実行されることができる、すなわち結合動作がＲＳシーケンスとスクランブリングコードが１つのＰＲＢに対して生成され、ＲＳシーケンスが拡散し、スクランブリングされ、基地局によって割り当てられたＰＲＢに対して使用された後に実行される。
【００７２】
図９は、本発明の一実施例によるＤＲＳを生成するための装置を示している。図９から明らかなように、この装置は、生成ユニット９１、拡散ユニット９２、及びマッピングユニット９３を含む。
【００７３】
生成ユニット９１は、各々のアンテナポートのＲＳシーケンスを生成し；拡散ユニット９２は、各々のＲＳシーケンスを拡散させて拡散ＲＳシーケンスを獲得し、各々の拡散ＲＳシーケンスにあらかじめ定義されたスクランブリングコードを乗算し、所望のＤＲＳシーケンスを得る。マッピングユニット９３は、各々のＤＲＳシーケンスに対してＲＥマッピングを実行する。
【００７４】
生成ユニット９１は、ＲＳシーケンスを生成するための初期化パラメータを決定し、初期パラメータによって初期化値を計算する計算サブユニット９１１と、初期化値によって各々のアンテナポートのＲＳシーケンスを生成する生成サブユニット９１２とを含む。
【００７５】
拡散ユニット９２は、各々のＲＳシーケンスに拡散コードを乗算し、あらかじめ定義された拡散コードを利用して各々のアンテナポートのホッピングを実行する第１拡散サブユニット９２１と、スクランブリングコードを生成するための初期化パラメータを決定し、初期化パラメータによって初期化値を計算し、初期化値によってアンテナポートと相関性がない共通スクランブリングコードを生成し、共通スクランブリングコードを各々の拡散ＲＳシーケンスに乗算する第２拡散サブユニット９２２とを含む。または、第２拡散サブユニット９２２は、スクランブリングコードを生成するために初期化パラメータを決定し、初期化パラメータによって初期化値を計算し、初期化値によってＮ個のスクランブリングコードを生成し、各々の拡散ＲＳシーケンスにこれに対応するスクランブリングコードを乗算し、ここで、Ｎは、正の整数であり、ＤＲＳ伝送のためのＣＤＭ ＲＥグループの数と同一である。
【００７６】
また、図９に示された装置の構成要素の特定手順は、図４に示された方法の説明を言及するので、追加に説明されない。
【００７７】
前述したように、本発明は、ＯＦＤＭシンボルの電力不均衡の問題を解決し、また異なるセル間のＤＲＳ干渉をランダム化する。さらに、本発明は、ＭＵ−ＭＩＭＯの性能を最適化し、ＵＥがＭＵ−ＭＩＭＯを実行する他のＵＥのＤＲＳシーケンス情報を知ることができるようにし、それにより、明示的ＭＵ−ＭＩＭＯ伝送モードを支援する。
【００７８】
本発明の実施例が上記で詳しく説明されたが、本技術分野の技術者に明白になることができる、ここで説明された基本的な発明的概念の多くの変形例及び変更例が相変らず添付の請求項で定義されたもののような本発明の実施例の思想と範囲内にあると理解しなければならない。
【図１】
0006042480.tif 000006
【図２】
0006042480.tif 000007
【図３】
0006042480.tif 000008
【図４】
0006042480.tif 000009
【図５】
0006042480.tif 000010
【図６】
0006042480.tif 000011
【図７】
0006042480.tif 000012
【図８】
0006042480.tif 000013
【図９】
0006042480.tif 000014